(57)【特許請求の範囲】
【請求項１】
ユーザを撮影して画像を生成する画像生成装置であって、
仕様上の最大通信距離を半径とする範囲内に当該画像生成装置全体が含まれている近距離無線通信ユニットと、
上記近距離無線通信ユニットによって検出された１又は複数の通信機器の数を、当該画像生成装置を利用して一緒に遊戯を行うグループを構成するユーザの人数として特定する特定手段と、
上記近距離無線通信ユニットによって検出された上記通信機器を所有するユーザを示すユーザ特定情報を表示する表示部と、
上記表示部に表示されたユーザ特定情報の示すユーザと上記グループを構成するユーザとが一致しているか否かのユーザ入力を受け付ける入力受付手段と、を備えており、
上記特定手段は、上記入力受付手段により一致している旨のユーザ入力を受け付けた場合に、上記表示部に表示されたユーザ特定情報の示すユーザを、上記グループを構成するユーザとして特定する、
ことを特徴とする画像生成装置。
【請求項２】
上記入力受付手段は、上記表示部に表示された１又は複数のユーザ特定情報から上記グループを構成するユーザと一致するユーザを示すユーザ特定情報を選択するユーザ入力を更に受け付け、
上記特定手段は、上記入力受付手段において選択された上記ユーザ特定情報の示すユーザを、上記グループを構成するユーザとして特定する、
ことを特徴とする請求項１に記載の画像生成装置。
【請求項３】
上記近距離無線通信ユニットは、当該近距離無線通信ユニットが感知した電波の強度が所定の閾値以上である上記通信機器を検出する、
ことを特徴とする請求項１又は２に記載の画像生成装置。
【請求項４】
上記所定の閾値を制御する制御手段を更に備え、
上記制御手段は、
上記近距離無線通信ユニットによって上記検出された通信機器の数が、上記グループを構成するユーザの実際の人数よりも少ない旨を示す操作入力をユーザから受け付けた場合に、上記所定の閾値を低く設定する、
ことを特徴とする請求項３に記載の画像生成装置。
【請求項５】
上記所定の閾値を制御する制御手段を更に備え、
上記制御手段は、
上記近距離無線通信ユニットによって上記検出された通信機器の数が、上記グループを構成するユーザの実際の人数よりも多い旨を示す操作入力をユーザから受け付けた場合に、上記所定の閾値を高く設定する、
ことを特徴とする請求項３又は４に記載の画像生成装置。
【請求項６】
上記通信機器を置く設置台を更に備え、
上記近距離無線通信ユニットは、上記設置台に設けられており、
上記設置台は、上記近距離無線通信ユニットが感知する電波の強度が上記所定の閾値以上になる位置に設けられている、
ことを特徴とする請求項３から５のいずれか１項に記載の画像生成装置。
【請求項７】
上記特定手段により上記グループを構成するユーザとして特定されたユーザが所有する上記通信機器に対して、上記画像生成装置により生成された画像を示す画像データを送信する画像送信手段をさらに備えている、
ことを特徴とする請求項１から６のいずれか１項に記載の画像生成装置。
【請求項８】
ユーザを撮影する撮影スペースが設けられており、
上記近距離無線通信ユニットは、上記撮影スペースに設けられており、
上記特定手段は、上記近距離無線通信ユニットによって検出された上記撮影スペースに存在する上記通信機器の数を、上記グループを構成するユーザの人数として特定する、
ことを特徴とする請求項１から７のいずれか１項に記載の画像生成装置。
【請求項９】
当該画像生成装置を利用するユーザが利用前に待機する待機スペースが設けられており、
上記近距離無線通信ユニットは、上記待機スペースに設けられており、
上記特定手段は、上記近距離無線通信ユニットによって検出された上記待機スペースに存在する上記通信機器の数を、上記グループを構成するユーザの人数として特定する、
ことを特徴とする請求項１から７のいずれか１項に記載の画像生成装置。
【請求項１０】
請求項１から９のいずれか１項に記載の画像生成装置により生成された画像からシールを作成する、
ことを特徴とする写真シール作成装置。
【発明の詳細な説明】
【技術分野】
【０００１】
本発明は、撮影画像を生成する画像生成装置、及びそのような画像生成装置により生成された画像からシールを作成する写真シール作成装置に関する。
【背景技術】
【０００２】
写真シール作成装置は、その多くが、娯楽（遊戯）施設等に設置されている。そのような写真シール作成装置は、主に、被写体（ユーザ）を撮影する撮影機能、撮影された画像に対してユーザが編集（落書き等）を行う編集機能、及び、撮影画像または編集が施された画像を写真シール紙に印刷する印刷機能を備えている。
【０００３】
さらに、近年では、写真シール作成装置の多くが通信機能を備えている。ユーザが通信機能を備える写真シール作成装置を利用して自身の画像を撮影すると、写真シール作成装置は、撮影した画像をサーバに送信する。ユーザは、たとえば携帯電話機などの携帯端末を用いてサーバから撮影した画像をダウンロードすることが可能である。すなわち、写真シール作成装置を利用して撮影した画像を、写真シールとして取得して楽しむだけにとどまらず、画像を自身の携帯端末に格納し、いつでも楽しむことが可能になっている。
【０００４】
そのような写真シール作成装置の例として、特許文献１〜２が挙げられる。これらの写真シール作成装置は、近接通信機器を近接させることにより、当該近接通信機器との間で通信を行うように構成されている。
【０００５】
特許文献１〜２に記載の写真シール作成装置においては、コイン投入口、印刷待ちの処理ブース（例えば、事後接客ブース）、または、編集ブースのいずれかに、近接通信手段が設置されており、画像取得のためのアドレス入力を簡略化したり、写真シール作成装置が取得した画像や画像一覧を携帯端末へ送信したりすることができる。
【先行技術文献】
【特許文献】
【０００６】
【特許文献１】特開２０１２−２３４０２６号公報（２０１２年１１月２９日公開）
【特許文献２】特開２０１０−１６６４３５号公報（２０１０年７月２９日公開）
【発明の概要】
【発明が解決しようとする課題】
【０００７】
しかしながら、写真シール作成装置に上述のような近接通信手段を設置する場合、写真シール作成装置において近接通信機器を検出するためには、近接通信機器を近接通信手段に近づけるという煩雑な操作をユーザが行わなければならないという問題がある。
【０００８】
本発明は、上記の問題に鑑みてなされたものであり、その目的は、ユーザによる煩雑な操作を必要とすることなく、一緒に遊戯を行うグループを構成するユーザの人数を容易に特定することができる画像生成装置を提供することにある。
【課題を解決するための手段】
【０００９】
上記課題を解決するために、本発明に係る画像生成装置は、ユーザを撮影して画像を生成する画像生成装置であって、仕様上の最大通信距離を半径とする範囲内に当該画像生成装置全体が含まれている近距離無線通信ユニットと、上記近距離無線通信ユニットによって検出された１又は複数の通信機器の数を、当該画像生成装置を利用して一緒に遊戯を行うグループを構成するユーザの人数として特定する特定手段と、を備えている、ことを特徴としている。
【００１０】
上記の構成によれば、画像生成装置は、近距離無線通信ユニットによって検出された１又は複数の通信機器の数を、当該画像生成装置を利用して一緒に遊戯を行うグループを構成するユーザの人数として特定することができる。ここで、近距離無線通信ユニットは、仕様上の最大通信距離を半径とする範囲内に当該画像生成装置全体が含まれるように構成されている。そのため、当該画像生成装置は、当該画像生成装置を用いて遊戯を行うユーザが所有する通信機器を検出することができる。また、この際検出された１又は複数の通信機器を所有するユーザは、当該画像生成装置を利用して一緒に遊戯を行うグループを構成している可能性が高い。
【００１１】
また、当該画像生成装置は、ユーザが所有する通信機器を検出する構成であるため、ユーザからの入力操作（例えば、ＩＣカード等をかざす、またはタッチする操作）を受け付ける必要がない。
【００１２】
したがって、上記の構成によれば、ユーザによる煩雑な操作を必要とすることなく、当該画像生成装置を利用して一緒に遊戯を行うグループを構成するユーザの人数を容易に特定することができる。
【００１３】
本発明の一態様に係る画像生成装置では、さらに、上記近距離無線通信ユニットによって検出された上記通信機器を所有するユーザを示すユーザ特定情報を表示する表示部と、上記表示部に表示されたユーザ特定情報の示すユーザと上記グループを構成するユーザとが一致しているか否かのユーザ入力を受け付ける入力受付手段と、を更に備え、上記特定手段は、上記入力受付手段により一致している旨のユーザ入力を受け付けた場合に、上記表示部に表示されたユーザ特定情報の示すユーザを、上記グループを構成するユーザとして特定する、ことが好ましい。
【００１４】
上記の構成によれば、上記特定手段により特定されたグループを構成するユーザを示す特定情報ユーザと上記グループを構成するユーザとが一致しているか否かをユーザに確認させることができる。
【００１５】
したがって、上記の構成によれば、当該画像生成装置を利用して一緒に遊戯を行うグループを構成するユーザを容易に特定することができる。
【００１６】
本発明の一態様に係る画像生成装置では、さらに、上記入力受付手段は、上記表示部に表示された１又は複数のユーザ特定情報から上記グループを構成するユーザと一致するユーザを示すユーザ特定情報を選択するユーザ入力を更に受け付け、上記特定手段は、上記入力受付手段において選択された上記ユーザ特定情報の示すユーザを、上記グループを構成するユーザとして特定する、ことが好ましい。
【００１７】
上記の構成によれば、上記特定手段により特定されたグループを構成するユーザを示す特定情報ユーザと一致するユーザを、ユーザにより選択させ、選択された上記ユーザ特定情報の示すユーザを、上記グループを構成するユーザとして特定することができる。
【００１８】
したがって、上記の構成によれば、上記特定手段により特定されたグループを構成するユーザが、上記グループを構成するユーザと一致していない場合であっても、上記グループを構成するユーザを正確に特定することができる。
【００１９】
本発明の一態様に係る画像生成装置では、さらに、上記近距離無線通信ユニットは、当該近距離無線通信ユニットが感知した電波の強度が所定の閾値以上である上記通信機器を検出する、ことが好ましい。
【００２０】
上記の構成によれば、上記近距離無線通信ユニットは、感知した電波の強度が所定の閾値以上である上記通信機器を検出することができる。ここで、上記近距離無線通信ユニットが感知する電波の強度は、上記近距離無線通信ユニットと、上記通信機器との距離が近くなるほど大きくなる。
【００２１】
したがって、上記の構成によれば、上記画像生成装置を利用していないユーザが所有する上記通信機器を誤って検出することを防ぐことができる。
【００２２】
本発明の一態様に係る画像生成装置では、さらに、上記所定の閾値を制御する制御手段を更に備え、上記制御手段は、上記近距離無線通信ユニットによって上記検出された通信機器の数が、上記グループを構成するユーザの人数よりも多い場合に、上記所定の閾値を高く設定し、上記近距離無線通信ユニットによって上記検出された通信機器の数が、上記グループを構成するユーザの人数よりも少ない場合に、上記所定の閾値を低く設定する、ことが好ましい。
【００２３】
上記の構成によれば、上記近距離無線通信ユニットが上記通信機器を検出する際の、上記所定の閾値を制御することができる。上記所定の閾値を上記のように制御することにより、上記画像生成装置を利用しているユーザが所有する上記通信機器が検出されない場合であっても、当該ユーザが所有する上記通信機器を再度検出することができる。また、上記画像生成装置を利用していないユーザが所有する上記通信機器を誤って検出することを防ぐことができる。
【００２４】
したがって、上記の構成によれば、上記特定手段により特定されたグループを構成するユーザが、上記グループを構成するユーザと一致していない場合であっても、上記グループを構成するユーザを正確に特定することができる。
【００２５】
本発明の一態様に係る画像生成装置では、さらに、上記通信機器を置く設置台を更に備え、上記近距離無線通信ユニットは、上記設置台に設けられており、上記設置台は、上記近距離無線通信ユニットが感知する電波の強度が上記所定の閾値以上になる位置に設けられている、ことが好ましい。
【００２６】
上記の構成によれば、上記設置台に設けられた上記近距離無線通信ユニットによって、上記通信機器を検出するので、上記通信機器が当該設置台の何れの場所に置かれた場合でも上記電波の強度が上記所定の閾値以上になる。
【００２７】
したがって、上記の構成によれば、上記グループを構成するユーザを正確に特定することができる。
【００２８】
本発明の一態様に係る画像生成装置では、上記特定手段により上記グループを構成するユーザとして特定されたユーザが所有する上記通信機器に対して、上記画像生成装置により生成された画像を示す画像データを送信する画像送信手段をさらに備えている、ことが好ましい。
【００２９】
上記の構成によれば、上記特定手段が特定した上記グループを構成するユーザとして特定されたユーザが所有する上記通信機器に対して、上記画像生成装置により生成された画像を示す画像データを送信することができる。
【００３０】
したがって、上記の構成によれば、上記グループを構成するユーザ以外のユーザに、誤って画像データを送信してしまうことを防ぐことができる。
【００３１】
本発明の一態様に係る画像生成装置では、さらに、ユーザを撮影する撮影スペースが設けられており、上記近距離無線通信ユニットは、上記撮影スペースに設けられており、上記特定手段は、上記近距離無線通信ユニットによって検出された上記撮影スペースに存在する上記通信機器の数を、上記グループを構成するユーザの人数として特定する、ことが好ましい。
【００３２】
上記の構成によれば、上記撮影スペースに設けられた上記近距離無線通信ユニットによって、上記通信機器の数を検出することができるので、上記撮影スペースに存在する上記グループを構成するユーザが所有する上記通信機器を検出することができる。
【００３３】
したがって、上記の構成によれば、上記グループを構成するユーザをより正確に特定することができる。
【００３４】
本発明の一態様に係る画像生成装置では、さらに、当該画像生成装置を利用するユーザが利用前に待機する待機スペースが設けられており、上記近距離無線通信ユニットは、上記待機スペースに設けられており、上記特定手段は、上記近距離無線通信ユニットによって検出された上記待機スペースに存在する上記通信機器の数を、上記グループを構成するユーザの人数として特定する、ことが好ましい。
【００３５】
上記の構成によれば、上記待機スペースに設けられた上記近距離無線通信ユニットによって、上記通信機器の数を検出することができる。ここで、ユーザは、待機スペースにて待機した後に、当該画像生成装置を利用する。すなわち、ユーザが当該画像生成装置を利用する前に、上記グループを構成するユーザを特定することができるので、一グループ当たりの利用時間の短縮につながる。
【００３６】
したがって、上記の構成によれば、当該画像生成装置の回転率を上げることができる。
【００３７】
また、上記課題を解決するために、本発明の一態様に係る写真シール作成装置は、上記の画像生成装置により生成された画像からシールを作成する、ことを特徴としている。
【００３８】
上記の構成によれば、上記の画像生成装置と同様の効果を奏する。
【発明の効果】
【００３９】
本発明によれば、ユーザによる煩雑な操作を必要とすることなく、画像生成装置を利用して一緒に遊戯を行うグループを構成するユーザの人数を容易に特定することができる。
【図面の簡単な説明】
【００４０】
【図１】本発明の一実施形態に係る写真シール制御部が備える機能の要部構成を示したブロック図である。
【図２】図１の写真シール作成装置を含む本発明の一実施形態に係る情報管理システムの外観図である。
【図３】ある角度から見た場合における図１の写真シール作成装置の外観を示す斜視図である。
【図４】上記ある角度とは別の角度から見た場合における図１の写真シール作成装置の外観の一例を示す斜視図である。
【図５】図１の写真シール作成装置に含まれる撮影ユニット内の撮影部の外観の一例を示す斜視図である。
【図６】図１の写真シール作成装置に含まれる撮影ユニット内の背景部の外観の一例を示す斜視図である。
【図７】図１の写真シール作成装置に含まれる編集部の外観の一例を示す斜視図である。
【図８】図１の写真シール作成装置に含まれる事前接客部の外観の一例を示す斜視図である。
【図９】図１の写真シール作成装置に含まれる印刷部の外観の一例を示す斜視図である。
【図１０】図１の写真シール作成装置におけるゲームの流れとユーザの移動とを模式的に示す図である。
【図１１】図１の写真シール作成装置が備える機能の要部構成を示すブロック図である。
【図１２】図１の写真シール作成装置の記憶部に格納されているデータの一例を示す図である。
【図１３】図２の情報管理システムに含まれる携帯端末の要部構成を示すブロック図である。
【図１４】図２の情報管理システムに含まれるサーバの要部構成を示すブロック図である。
【図１５】図２の情報管理システムの会員登録動作を示すシーケンス図である。
【図１６】ユーザが図１の写真シール作成装置で遊んでいる間の図２の情報管理システムの動作を示すシーケンス図である。
【図１７】図１６のシーケンス図の一工程における写真シール作成装置の動作を詳細に示すフローチャートである。
【図１８】図１の写真シール作成装置の表示画面に表示されるＵＩ画面の一例を示す図である。
【図１９】図１の写真シール作成装置の表示画面に表示されるＵＩ画面の別の一例を示す図である。
【図２０】図１の写真シール作成装置に含まれる撮影ユニット内の撮影部の外観の他の一例を示す斜視図である。
【発明を実施するための形態】
【００４１】
＜実施形態１＞
本発明に係る画像生成装置の一実施形態について、図１から図２０を参照して説明する。但し、この実施形態に記載されている構成は、特に特定的な記載がない限り、この発明の範囲をそれのみに限定する趣旨ではなく、単なる説明例に過ぎない。
【００４２】
ここで、画像生成装置は、当該画像生成装置を利用するユーザに対して、ユーザ自身の撮影及び撮影画像の編集などの作業をゲームとして提供すると共に、撮影画像や編集済み画像の画像データの携帯端末への提供及びこれらの画像を印刷したシートの提供を行い、その代わりにユーザから代金を受け取るゲーム機である。画像生成装置はゲームセンタなどの店舗に設置される。ユーザは１人であることもあるし、複数人であることもある。
【００４３】
本実施形態では、画像生成装置が、撮影画像や編集済み画像を印刷したシートとしてシール紙を提供する、写真シール作成装置である場合を例に挙げて説明する。
【００４４】
〔情報管理システム〕
本実施形態に係る写真シール作成装置１を含む情報管理システムについて、図２を参照して説明する。図２は、本実施形態に係る情報管理システムの外観図である。
【００４５】
図２に示すように、情報管理システムは、写真シール作成装置（画像生成装置）１、携帯端末３００（通信装置）、及び、サーバ４００を含んで構成されている。
【００４６】
写真シール作成装置１を利用してゲームを行う（遊戯を行う）ユーザは、（１）代金を投入し、自身が被写体となって撮影を行う撮影工程、（２）撮影によって得られた撮影画像に対して手書きの線画やスタンプ画像などを合成する編集機能を用いて編集を行う編集工程、及び、（３）編集済み画像が印刷されたシール紙を受け取る受取工程の、一連の工程を経ることにより１ゲームを終了させることになる。
【００４７】
以降では、上記（１）から（３）までの工程によりゲームを行うことを、「１ゲーム」とも呼称する。また、１ゲームの各工程を一緒に（つまり、同時に）行う一人以上のユーザを、「１グループ」とも呼称する。
【００４８】
また、写真シール作成装置１は、後述する無線通信ユニット１５０（近距離無線通信ユニット）を備えており、通信装置と近距離無線通信を行うことができる。本実施形態では、通信装置が、当該写真シール作成装置１を利用しているユーザの所有する携帯端末３００である場合を例に挙げて説明する。なお、携帯端末３００としては、例えば、携帯電話、及び、スマートフォンなどを挙げることができる。また、通信装置は、携帯端末３００に限定されるものではなく、例えば、タブレット端末であってもよいし、近距離無線通信の可能なメンバーズカードなどであってもよい。
【００４９】
また、写真シール作成装置１及び携帯端末３００は、ネットワークを介してサーバ４００と通信する。詳細については後述するが、サーバ４００には、携帯端末３００を所有するユーザ（つまり、写真シール作成装置１を利用するユーザ）に関する情報が記憶されている。
【００５０】
〔写真シール作成装置の構成〕
まず、図３から図１１を参照して、本実施形態に係る写真シール作成装置１の構成について説明する。図３は、ある角度から見た場合における本実施形態に係る写真シール作成装置１の外観を示す斜視図である。また、図４は、上記ある角度とは別の角度から見た場合における本実施形態に係る写真シール作成装置１の外観の一例を示す斜視図である。
【００５１】
図３及び図４に示すように、写真シール作成装置１は、主に、撮影ユニット１１、編集部１２、事前接客部１４、および、印刷部１５を備えている。また、撮影ユニット１１は、撮影部２１及び背景部２２を備えている。撮影部２１と背景部２２とは一定の距離だけ離れて設置される。そして、撮影部２１と背景部２２との間に形成される空間である撮影空間（図１０に示す、Ａ１）において撮影工程が行われる。
【００５２】
（撮影部）
撮影部２１は、１ゲームにおける撮影工程をユーザに実行させる。撮影部２１は、撮影空間に入って撮影工程を行うユーザの正面に位置する。撮影部２１の構成について、図５を参照して説明する。図５は、本実施形態に係る撮影部２１の外観の一例を示す斜視図である。
【００５３】
図５に示すように、撮影部２１は、正面パネル４１、側面パネル４２Ａ、側面パネル４２Ｂ、及び、ベース部４３を備えている。また、ベース部４３は、箱状の形状を有しており、正面パネル４１、側面パネル４２Ａ、及び、側面パネル４２Ｂは、それぞれベース部４３に固定されている。
【００５４】
正面パネル４１は撮影空間において撮影工程を行うユーザの正面に位置している。また、撮影空間において撮影工程を行うユーザから見て、側面パネル４２Ａは正面パネル４１の左側に位置し、側面パネル４２Ｂは正面パネル４１の右側に位置している。側面パネル４２Ａの上方には連結部２３Ａが固定され、側面パネル４２Ｂの上方には連結部２３Ｂが固定されている。
【００５５】
正面パネル４１のほぼ中央には、撮影・表示ユニット８１が設けられている。撮影・表示ユニット８１は、カメラ９１、正面ストロボ９２、及び、タッチパネルモニタ９３を備えている。また、撮影・表示ユニット８１のカメラ９１の下方には、無線通信ユニット１５０Ｂ（詳細については後述する）が備えられている。
【００５６】
カメラ９１は、例えば、ＣＣＤ(Charge Coupled Device)などの撮像素子により構成され、撮影空間にいるユーザを動画像又は静止画像として撮影する。カメラ９１により撮影された動画像は、タッチパネルモニタ９３にリアルタイムで表示される。ユーザにより撮影が指示されたときなどの所定のタイミングでカメラ９１により撮影された画像は撮影画像（静止画像）として保存される。
【００５７】
タッチパネルモニタ９３は、カメラ９１の下側に設けられ、例えば、ＬＣＤ(Liquid Crystal Display)などのモニタ、及び、モニタに積層されたタッチパネルにより構成される。タッチパネルモニタ９３は、カメラ９１により撮影された動画像を表示するライブビューモニタとしての機能と、各種のＧＵＩ(Graphical User Interface)画像を表示してユーザの選択操作をタッチパネルにより受け付ける機能と、を有している。また、タッチパネルモニタ９３には、背景などの画像が合成された後の動画像が表示されてもよい。
【００５８】
また、正面パネル４１には、撮影・表示ユニット８１の位置を基準として、上方に上ストロボ８２が設置され、左方に左ストロボ８３が設置され、右方に右ストロボ８４が設置されている。撮影・表示ユニット８１の下方には、ベース部４３の上面が一部突出する形で下ストロボ８５が設けられる。ベース部４３には、ユーザの足元を照射する足元ストロボ８６が設けられている。
【００５９】
上ストロボ８２、左ストロボ８３、右ストロボ８４、下ストロボ８５、及び、足元ストロボ８６は、内部に光源（例えば、ＬＥＤ及び蛍光灯など）が設けられており、後述する天井ストロボユニット２４と共に、撮影空間内の照明として用いられる。
【００６０】
足元ストロボ８６の右側には、ユーザがお金を投入する硬貨投入返却口８７が設けられる。また、下ストロボ８５を挟んでベース部４３の上面の左右に形成されるスペース４３Ａ及びスペース４３Ｂは、撮影工程を行うユーザが手荷物などを置くための荷物置き場として用いることができる。正面パネル４１の例えば天井付近には、撮影工程に関する案内の音声、ＢＤＭ(Back Ground Music)、及び効果音などの音を出力するスピーカ（不図示）がさらに設けられていてもよい。
【００６１】
（背景部）
背景部２２は、正面（すなわち、撮影部２１が配置されている方向）を向いて撮影工程を行うユーザの背面側に位置している。背景部２２は、図３及び図４に示すように、板状の部材である背面パネル５１、背面パネル５１の左端に取り付けられ、側面パネル４２Ａより横幅（短手方向）の狭い板状の部材である側面パネル５２Ａ、および、背面パネル５１の右端に取り付けられ、側面パネル４２Ｂより横幅の狭い板状の部材である側面パネル５２Ｂを備えている。
【００６２】
撮影部２１の側面パネル４２Ａ及び背景部２２の側面パネル５２Ａは、ほぼ同一平面に設けられ、それぞれの上部が、板状の部材である連結部２３Ａによって連結される。撮影部２１の側面パネル４２Ｂ及び背景部２２の側面パネル５２Ｂもまた、ほぼ同一平面に設けられ、それぞれの上部が、板状の部材である連結部２３Ｂによって連結される。
【００６３】
背景部２２の構成について、図６を参照して説明する。図６は、本実施形態に係る背景部２２の外観の一例を示す斜視図である。図６に示すように、背景部２２は、その上方に、背景カーテンユニット２５、背面中央ストロボ１０１、背面左ストロボ１０２、及び、背面右ストロボ１０３を備えている。
【００６４】
背景カーテンユニット２５は、背面パネル５１、側面パネル５２Ａ、及び、側面パネル５２Ｂに支持されている。背景カーテンユニット２５には、色または柄の異なる、背景に利用する巻き取り式の背景カーテンが複数収納されている。背景カーテンユニット２５は、撮影部２１に設けられたカメラ９１等による撮影と連動して動作し、撮影工程の際に、例えばユーザにより選択された色のカーテンを下ろし、その他のカーテンを巻き取る。なお、背景カーテンは１枚でもよく、この場合、合成用クロマキーカーテンでもよい。
【００６５】
背面中央ストロボ１０１は、背景カーテンユニット２５のほぼ中央に取り付けられ、撮影空間内で撮影工程を行うユーザを後方中央から照射する。また、背面左ストロボ１０２は背面パネル５１の側面パネル４２Ａ側上方に取り付けられ、背面右ストロボ１０３は背面パネル５１の側面パネル４２Ｂ側上方に取り付けられ、それぞれ撮影工程を行うユーザを左後方、右後方から照射する。
【００６６】
図３及び図４に示すように、撮影部２１の側面パネル４２Ａ、背景部２２の側面パネル５２Ａ、及び、連結部２３Ａに囲まれて形成される開口が、ユーザが撮影空間の出入りを行う出入り口Ｇ１となる。また、撮影部２１の側面パネル４２Ｂ、背景部２２の側面パネル５２Ｂ、及び、連結部２３Ｂに囲まれて形成される開口が、撮影空間の出入り口Ｇ２となる。
【００６７】
さらに、撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられている。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。
【００６８】
（編集部）
編集部１２は、撮影工程によって得られた画像を編集する編集工程をユーザに実行させる。編集部１２は、一方の側面が撮影部２１の正面パネル４１の背面に接するように撮影ユニット１１に連結して設けられる。
【００６９】
また、編集部１２は、ユーザが編集工程を行うための構成を２つ備えている。図３及び図４に示す構成を正面側とすると、編集部１２は、正面側に構成を備え、背面側にも同様の構成を備えている。これにより、２組のグループのユーザが、それぞれ異なる撮影工程において撮影した撮影画像に対して、並行して編集工程を行うことができる（すなわち、写真シール作成装置１は、少なくとも２つのゲームを並行して行うことができる）。
【００７０】
編集部１２の構成について、図７を参照して説明する。図７は、本実施形態に係る編集部１２の外観の一例を示す斜視図である。図７に示すように、編集部１２は、床面に対して垂直な面７１、面７１の上方に形成された斜面７２、柱状の形状を有する支持部７３Ａ、支持部７３Ｂ、支持部７５、照明装置７４、及び、カーテンレール２６を備えている。
【００７１】
支持部７３Ａは照明装置７４の一端を支持し、また、支持部７３Ｂは照明装置７４の他端を支持している。支持部７５は、支持部７３Ａの上面に設けられ、カーテンレール２６を支持している。
【００７２】
斜面７２には、当該斜面７２のほぼ中央に、タブレット内蔵モニタ１３１が設けられている。また、タブレット内蔵モニタ１３１を挟んで、左側にタッチペン１３２Ａが設けられ、右側にタッチペン１３２Ｂが設けられている。また、斜面７２には、タブレット内蔵モニタ１３１の上方に、無線通信ユニット１５０Ｃを備えている（詳細については後述する）。
【００７３】
タブレット内蔵モニタ１３１は、例えば、ＬＣＤなどのモニタ、及び、モニタに積層されるタブレットであってタッチペン１３２Ａ及び１３２Ｂを用いて操作入力が可能なタブレットにより構成されている。タブレット内蔵モニタ１３１には、例えば、撮影工程において撮影された複数の撮影画像のうち、編集工程において編集対象となる画像としてユーザにより選択された画像が表示される（編集画面）。
【００７４】
カーテンレール２６は、編集部１２を上から見たときの形状がコの字状となるように３本のレール２６Ａ〜２６Ｃを組み合わせて構成される。レール２６Ａ及び２６Ｂの一端は連結部２３Ａと連結部２３Ｂにそれぞれ固定され、レール２６Ａの他端はレール２６Ｃの一端に固定され、また、レール２６Ｂの他端はレール２６Ｃの他端に固定されている。また、カーテンレール２６には、編集部１２のタブレット内蔵モニタ１３１が外から見えないように、カーテン（不図示）が取り付けられる。カーテンレール２６に取り付けられたカーテンと編集部１２との間の空間が、ユーザが編集工程を行う編集空間（図１０に示す、Ａ２−１、及び、Ａ２−２）となる。
【００７５】
（事前接客部）
事前接客部１４は、事前接客工程をユーザに実行させる。事前接客部１４の構成について、図８を参照して説明する。図８は、本実施形態に係る事前接客部１４の外観の一例を示す斜視図である。図８に示すように、事前接客部１４は、タブレット内蔵モニタ１４１、タッチペン１４２Ａ、１４２Ｂ、及び、無線通信ユニット１５０Ａ（詳細は後述する）を備えている。
【００７６】
タブレット内蔵モニタ１４１は、事前接客部１４のほぼ中央に設けられており、タブレット内蔵モニタ１４１を挟んで左側にタッチペン１４２Ａが、右側にタッチペン１４２Ｂが設けられている。タブレット内蔵モニタ１４１は、タブレット内蔵モニタ１３１と同様の構成である。タブレット内蔵モニタ１４１には、特定部２５１（詳細は後述する）による、写真シール作成装置１を一緒に利用するグループを構成するユーザを特定する工程などの、事前接客工程に用いられる画面が表示される。
【００７７】
事前接客工程には、特定部２５１により特定されたユーザが、上記グループを構成するユーザと一致しているか否かをユーザが入力する工程、上記グループを構成するユーザと一致してない場合に、特定部２５１により特定されたユーザにさらにユーザを追加するための情報をユーザが入力する工程、及び、上記グループを構成するユーザと一致してない場合に、特定部２５１により特定されたユーザを削除するための情報をユーザが入力する工程などが含まれる。
【００７８】
事前接客部１４の正面前方の空間が、ユーザが事前接客工程を行う事前接客空間（図１０に示す、Ａ４）となる。
【００７９】
（印刷部）
印刷部１５は、受取工程において、編集済み画像を印刷したシール紙をユーザに提供する。印刷部１５の構成について、図９を参照して説明する。図９は、本実施形態に係る印刷部１５の外観の一例を示す斜視図である。図９に示すように、印刷部１５は、シール紙排出口１６４、及び、スピーカ１６５を備えている。
【００８０】
印刷部１５は、板状の筐体を有しており、その背面が編集部１２の一方の側面に接するように編集部１２に連結して設けられる。印刷部１５の正面前方の空間が、シール紙への印刷が終わるのを待つユーザが受取工程を行う事後接客空間（図１０に示す、Ａ３）となる。
【００８１】
シール紙排出口１６４は、編集工程においてユーザにより編集された編集済み画像が印刷されたシール紙が排出し、これにより、シール紙がユーザに提供される。なお、編集部１２の内部にはプリンタが設けられており、編集済み画像のシール紙への印刷処理はそのプリンタにより行われる。
【００８２】
スピーカ１６５は、シール紙排出時の案内音声、ＢＧＭ、及び、効果音などの音を出力する。
【００８３】
（無線通信ユニット）
上述したように、写真シール作成装置１は、無線通信ユニット１５０を備えている。より具体的には、事前接客部１４に無線通信ユニット１５０Ａが、撮影部２１に無線通信ユニット１５０Ｂが、編集部１２に無線通信ユニット１５０Ｃ、１５０Ｄ（後述）が備えられている。なお、ユニット１５０Ａ〜Ｄは何れも同様の構成である。
【００８４】
無線通信ユニット１５０は、所定の範囲内に存在する携帯端末３００を検出すると共に、検出した携帯端末３００との間で近距離無線通信を行う。所定の範囲内とは、無線通信ユニット１５０を中心とし、当該無線通信ユニット１５０の仕様上の最大通信距離を半径とする範囲内のことを指す。なお、無線通信ユニット１５０は、所定の範囲内に携帯端末３００が複数存在する場合には、複数の携帯端末３００を略同時に検出することができる（換言すれば、無線通信ユニット１５０は、複数の携帯端末３００を各個別に順次検出する必要がない）。
【００８５】
また、無線通信ユニット１５０を中心とした仕様上の最大通信距離を半径とする範囲内には、写真シール作成装置１全体が含まれている。
【００８６】
無線通信ユニット１５０としては、例えば、Ｂｅａｃｏｎを挙げることができる。Ｂｅａｃｏｎの仕様上（Bluetooth（登録商標） LowEnergyの規格上）の最大通信距離は約５０ｍであり、推奨される通信距離の範囲は１０ｍである。
【００８７】
〔写真ゲーム作成装置におけるユーザの移動〕
ここで、写真シール作成装置１における１ゲームの流れと、それに伴うユーザの移動について図１０を参照して説明する。図１０は、写真シール作成装置１におけるゲームの流れとユーザの移動とを模式的に示す図である。
【００８８】
写真シール作成装置１のユーザは、矢印＃１で示すように出入り口Ｇ１から、または矢印＃２で示すように出入り口Ｇ２から、撮影部２１と背景部２２の間に形成された撮影空間Ａ１に入り、撮影部２１に設けられたカメラやタッチパネルモニタなど利用して撮影工程を行う。
【００８９】
撮影工程を終えたユーザは、矢印＃３で示すように出入り口Ｇ１から撮影空間Ａ１を出て編集空間Ａ２−１に移動するか、又は、矢印＃４で示すように出入り口Ｇ２から撮影空間Ａ１を出て編集空間Ａ２−２に移動する。編集空間Ａ２−１は、編集部１２の正面側の編集空間であり、編集空間Ａ２−２は、編集部１２の背面側の編集空間である。
【００９０】
編集空間Ａ２−１及び編集空間Ａ２−２のいずれの空間に移動するかは、撮影部２１のタッチパネルモニタ９３に表示される案内画面などによって案内される。例えば２つの編集空間Ａ２のうち他のグループのユーザに利用されていない編集空間Ａ２が移動先として案内される。編集空間Ａ２−１または編集空間Ａ２−２に移動したユーザは編集工程を開始する。なお、編集空間Ａ２−１を利用するグループのユーザと、編集空間Ａ２−２を利用するグループのユーザとは、それぞれ並行して編集工程を行うことができる。
【００９１】
編集工程が終了した後、写真シール作成装置１において、撮影画像や編集済みの画像の中から選択された画像の印刷処理が開始される。画像の印刷中、編集工程を終えたユーザは、矢印＃５及び矢印＃６で示すように編集空間Ａ２−１又は編集空間Ａ２−２から事後接客空間Ａ３に移動して、画像の印刷されたシール紙の提供を待つ。
【００９２】
画像の印刷が終了すると、ユーザは、受取工程においてシール紙排出口からシール紙を受け取る。これにより、写真シール作成装置１における一連のゲーム（１ゲーム）が終了する。
【００９３】
〔写真シール作成装置の機能〕
次に、写真シール作成装置１の機能構成について、図１および図１１を参照して説明する。図１は、写真シール作成装置１の制御部の機能構成を示すブロック図である。図１１は、写真シール作成装置１の機能の要部構成を示すブロック図である。図１１に示すように、写真シール作成装置１は、制御部２０１、撮影処理部２０８、編集処理部２０９Ａ、２０９Ｂ、印刷処理部２１１、及び、事前処理部２１２を備えている。
【００９４】
（制御部）
制御部２０１は、例えば、ＣＰＵ(Central Processing Unit)などにより構成され、当該制御部２０１に接続されている記憶部２０２及びＲＯＭ(Read Only Memory)２０６に記憶されているプログラムを実行することで写真シール作成装置１の全体の動作を制御する。
【００９５】
制御部２０１は、記憶部２０２及びＲＯＭ２０６に記憶されているプログラムを実行することで、図１に示すように、特定部２５１、及び閾値制御部２５４として機能する。特定部２５１は、検出部２５２、及びＵＩ制御部２５３をさらに備えている。
【００９６】
特定部２５１は、無線通信ユニット１５０によって検出された１又は複数の携帯端末の数を、写真シール作成装置１を利用して一緒に遊戯を行うグループを構成するユーザの人数として特定する特定手段として機能する。
【００９７】
具体的には、無線通信ユニット１５０は、所定の範囲内に存在する携帯端末を検出すると共に、検出した携帯端末との間で近距離無線通信を行い、当該携帯端末を所有するユーザを示すユーザ特定情報（詳細は後述する）を当該携帯端末から受信する。検出部２５２は、無線通信ユニット１５０が感知した携帯端末の各々の電波の強度を示すデータ、及び当該携帯端末を所有するユーザを示すユーザ特定情報を、無線通信ユニット１５０から受信する。検出部２５２は、無線通信ユニット１５０から受信したデータを参照して、無線通信ユニット１５０が感知した電波の強度が所定の閾値以上である携帯端末を検出する。検出部２５２は、電波の強度が所定の閾値以上である携帯端末の数を特定する。
【００９８】
以上のように、特定部２５１は、検出部２５２によって特定された携帯端末の数を、写真シール作成装置１を利用して一緒に遊戯を行うグループを構成するユーザの人数として特定する。
【００９９】
ＵＩ制御部２５３は、ユーザからの各種操作（例えば、タッチパネルモニタ９３を用いた操作）を受け付ける入力受付手段として機能するとともに、操作内容に応じて、表示画面（事前接客部１４に設けられたタブレット内蔵モニタ１４１、撮影部２１に設けられたタッチパネルモニタ９３、及び、編集部に設けられたタブレット内蔵モニタ１３１）に各種のＵＩ画面を表示する表示制御手段としても機能する。
【０１００】
例えば、ＵＩ制御部２５３は、検出部２５２により特定された携帯端末を所有するユーザを示すユーザ特定情報を表示画面に表示するようにタッチパネルモニタ９３を制御する。また、ＵＩ制御部２５３は、タッチパネルモニタ９３に表示されたユーザ特定情報の示すユーザと、写真シール作成装置１を利用しているグループを構成するユーザとが一致しているか否かのユーザ入力を受け付ける。
【０１０１】
ＵＩ制御部２５３が、タッチパネルモニタ９３に表示されたユーザ特定情報の示すユーザと、写真シール作成装置１を利用しているグループを構成するユーザとが一致している旨のユーザ入力を受け付けると、特定部２５１は、タッチパネルモニタ９３に表示されたユーザ特定情報の示すユーザを、写真シール作成装置１を利用しているグループを構成するユーザとして特定する。
【０１０２】
また、ＵＩ制御部２５３は、タッチパネルモニタ９３に表示されたユーザ特定情報から上記グループを構成するユーザと一致するユーザを示すユーザ特定情報を選択するユーザ入力を更に受け付ける。ＵＩ制御部２５３が、タッチパネルモニタ９３に表示されたユーザ特定情報から上記グループを構成するユーザと一致するユーザを示すユーザ特定情報を選択するユーザ入力を受け付けると、特定部２５１は、ＵＩ制御部２５３において選択されたユーザ特定情報の示すユーザを、上記グループを構成するユーザとして特定する。
【０１０３】
閾値制御部２５４は、検出部２５２が携帯端末を検出する際の、所定の閾値を制御する制御手段として機能する。閾値制御部２５４は、検出部２５２により特定された携帯端末の数が、グループを構成するユーザの人数よりも多い場合に、所定の閾値を高く設定し、検出された携帯端末の数が、グループを構成するユーザの人数よりも少ない場合に、所定の閾値を低く設定するように構成される。
【０１０４】
なお、検出部２５２が行う処理を無線通信ユニット１５０が行うように構成してもよい。上記の場合、無線通信ユニット１５０は、無線通信ユニット１５０感知した電波の強度が所定の閾値以上である携帯端末を検出する。また、上記の場合には、閾値制御部２５４は、無線通信ユニット１５０が携帯端末を検出する際の、所定の閾値を制御するように構成すればよい。
【０１０５】
また、写真シール作成装置１は、ユーザの人数を特定する部（例えば、事前接客部１４、及び、撮影部２１など）に複数の無線通信ユニット１５０を備えていてもよい。この場合には、検出部２５２は、各無線通信ユニット１５０が感知する携帯端末からの電波の強度の値、又は、電波の強度の変化から、携帯端末の位置や移動を検出することができる。
【０１０６】
また、特定部２５１は、グループを構成するユーザとして特定されたユーザを示すユーザ特定情報を無線通信ユニット１５０に送信する構成としてもよい。上記の場合、無線通信ユニット１５０は、特定部２５１により上記グループを構成するユーザとして特定されたユーザが所有する携帯端末に対して、写真シール作成装置１により生成された画像を示す画像データを送信する画像送信手段としても機能する。
【０１０７】
また、制御部２０１には、通信部２０３、ドライブ２０４、ＲＡＭ(Random Access Memory)２０７が接続されており、さらに、撮影処理部２０８、編集処理部２０９Ａ、２０９Ｂ、印刷処理部２１１、及び、事前処理部２１２の各構成が接続されている。
【０１０８】
通信部２０３は、インターネットなどのネットワークを介して通信を行うインタフェースであり、サーバ４００との間で通信を行う。ＲＯＭ２０６には、制御部２０１において実行されるプログラムやデータが記憶されている。ＲＡＭ２０７は、制御部２０１が処理するデータやプログラムを一時的に記憶する。
【０１０９】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【０１１０】
記憶部２０２は、ハードディスクやフラッシュメモリなどの不揮発性の記憶媒体からなり、制御部２０１から供給された各種の設定情報を記憶する。ここで、記憶部２０２に格納されているデータの一例について、図１２を参照して説明する。図１２は、本実施形態に係る写真シール作成装置１の記憶部２０２に格納されているデータの一例を示す図である。
【０１１１】
図１２に示すように、記憶部２０２には、例えば、写真シール作成装置１においてゲームを行ったユーザの会員ＩＤ、メールアドレス、撮影日、ゲームにおいて作成された画像を示す画像データ、画像ＩＤ、シールＩＤ、ユーザが選択したコース、及び、写真シール作成装置１の機器ＩＤなどが格納されている。
【０１１２】
（事前処理部）
事前処理部２１２は、事前接客空間Ａ４における事前接客工程を実行するための構成であり、タブレット内蔵モニタ１４１、タッチペン１４２Ａ、１４２Ｂ、及び、無線通信ユニット１５０Ａを備えている。
【０１１３】
タブレット内蔵モニタ１４１は、制御部２０１のＵＩ制御部２５３による制御に従い、ＵＩ画面を表示し、ユーザ入力を受け付ける。
【０１１４】
また、無線通信ユニット１５０Ａは、事前接客空間Ａ４に存在する携帯端末３００を検出すると共に、検出した携帯端末３００との間で近距離無線通信を行う。
【０１１５】
（撮影処理部）
撮影処理部２０８は、撮影空間Ａ１における撮影工程を実行するための構成であり、硬貨処理部２２１、背景制御部２２２、照明制御部２２３、カメラ９１、タッチパネルモニタ９３、スピーカ２２４、及び、無線通信ユニット１５０Ｂを備えている。
【０１１６】
硬貨処理部２２１は、硬貨投入返却口８７に対する硬貨の投入を検出する。硬貨処理部２２１は、例えば４００円などの予め定められた金額分の硬貨が投入されたことを検出した場合、そのことを表す起動信号を制御部２０１に出力する。背景制御部２２２は、制御部２０１より供給される背景制御信号に従って背景カーテンユニット２５に収納されている背景カーテンの上げ下ろしを行う。
【０１１７】
照明制御部２２３は、制御部２０１より供給される照明制御信号に従って、撮影空間Ａ１内の各ストロボ２４、８２〜８６、１０１〜１０３の発光を制御する。また、照明制御部２２３は、各ストロボ２４、８２〜８６、１０１〜１０３の内部に設けられている光源の発光量を調整することにより、又は、発光させる光源の数を調整することにより、ユーザが行っている撮影工程の内容に応じて撮影空間内の明るさを調整する。カメラ９１は、制御部２０１による制御に従って撮影を行い、撮影によって得られた画像（撮影画像）を表す画像データを制御部２０１に出力する。
【０１１８】
無線通信ユニット１５０Ｂは、撮影空間Ａ１に存在する携帯端末３００を検出すると共に、検出した携帯端末３００との間で近距離無線通信を行う。
【０１１９】
（編集処理部）
編集処理部２０９Ａは、編集空間Ａ２−１における編集工程を実行するための構成であり、タブレット内蔵モニタ１３１、タッチペン１３２Ａ、１３２Ｂ、スピーカ２３１、及び、無線通信ユニット１５０Ｃを備えている。また、編集処理部２０９Ｂは、編集処理部２０９Ａと同一の構成を有しており、編集空間Ａ２−２における編集工程を実行する。
【０１２０】
タブレット内蔵モニタ１３１は、制御部２０１による制御に従って編集画面を表示し、編集画面に対するユーザの操作を受け付ける。ユーザの操作の内容を表す入力信号は制御部２０１に供給され、編集対象となる撮影画像に対する編集が行われる。
【０１２１】
無線通信ユニット１５０Ｃは、編集空間Ａ２−１に存在する携帯端末３００を検出すると共に、検出した携帯端末３００との間で近距離無線通信を行う。
【０１２２】
（印刷処理部）
印刷処理部２１１は、印刷処理を行うプリンタ２４１、及び、シール紙ユニット２４２を備えている。プリンタ２４１は、編集部１２に備えられており、撮影画像及び編集済み画像を当該プリンタ２４１に装着されたシール紙ユニット２４２に収納されているシール紙に印刷し、シール紙排出口１６４に排出する。
【０１２３】
〔携帯端末〕
次に、携帯端末３００の構成について、図１３を参照して説明する。図１３は、本実施形態に係る携帯端末３００の要部構成を示すブロック図である。図１３に示すように、携帯端末３００は、通信部３１０、無線通信ユニット３２０、制御部３３０、記憶部３４０、及び、表示部３５０を備えている。
【０１２４】
（通信部、表示部）
通信部３１０は、インターネットなどのネットワークを介して通信を行うインタフェースであり、サーバ４００との間で通信を行う。
【０１２５】
表示部３５０は、制御部３３０による制御に従い、例えば、写真シール作成装置１において作成された画像（撮影画像および編集済み画像）などを表示する。
【０１２６】
（無線通信ユニット）
無線通信ユニット３２０は、写真シール作成装置１の備える無線通信ユニット１５０との間で、ネットワークを介さない近距離無線通信を行う。無線通信ユニット３２０は、例えば、Ｂｅａｃｏｎなどと通信可能であって、Bluetooth LowEnergyに対応した通信ユニットである。なお、を挙げることができる。Ｂｅａｃｏｎの仕様上（Bluetooth LowEnergyの規格上）の最大通信距離は約５０ｍであり、推奨される通信距離の範囲は１０ｍである。
【０１２７】
（制御部）
制御部３３０は、携帯端末３００の処理を統合的に制御する。また、制御部３３０は、アプリケーション制御部３３１を含んでいる。
【０１２８】
アプリケーション制御部３３１は、写真シール作成装置１を利用する際の利便性を向上させるためのアプリケーションのダウンロード、及び、ダウンロードされたアプリケーションを実行する処理などを制御する。アプリケーションの実行としては、例えば、アプリケーションを有料会員として利用する有料会員登録、無料会員として利用する無料会員登録、及び、有料又は無料会員としてアプリケーションが提供するサービスを実行することが挙げられる。以降では、有料会員および無料会員を、単に「会員」とも記載する。
【０１２９】
有料会員に対してアプリケーションが提供するサービスとしては、例えば、写真シール作成装置１から提供されるシール紙に印刷されている１つ以上の画像の各々と同じ画像を示す１つ以上の画像データを提供するサービスが挙げられる。具体的には、有料会員に対して、シール紙に４種類の画像が印刷される場合に、４種類の画像の各々を示す４種類の画像データを提供する。
【０１３０】
無料会員に対してアプリケーションが提供するサービスとしては、例えば、写真シール作成装置１から提供されるシール紙に印刷されている１つ以上の画像のうち、当該無料会員であるユーザの選択した１枚の画像を示す画像データを提供するサービスが挙げられる。
【０１３１】
なお、本実施形態では、有料会員に対して対象アプリケーションが提供するサービスとして、シール紙に印刷されている１つ以上の画像の各々と同じ画像を提供する構成を例に挙げて説明するが、これに限定されるものではない。例えば、対象アプリケーションが提供するサービスとして、写真シール作成装置１において撮影された、編集前の画像、編集画像、及び、携帯端末３００のみで利用可能な画像など（つまり、シール紙に印刷されない画像）を提供するサービスを採用することもできる。このとき、無料会員であるユーザは、シール紙に印刷されない画像から１枚の画像を選択することもできる。
【０１３２】
また、対象アプリケーションは、無料会員であるユーザに１枚の画像を選択させる際に、ユーザによる選択操作を受け付け可能な期間を設定してもよい。無料会員であるユーザが設定された期間内に１枚の画像を選択しなかった場合には、対象アプリケーションは、写真シール作成装置１（又は、対象アプリケーション）において選択した１枚の画像を、無料会員に提供してもよい。
【０１３３】
（記憶部）
記憶部３４０は、会員情報データベース３４１、画像データベース３４２、及び、対象アプリケーション本体のデータ３４３を含んでいる。
【０１３４】
会員情報データベース３４１には、会員登録を行った際にアプリケーションにより設定された、又は、ユーザ自身が設定した会員情報が格納される。会員情報としては、例えば、会員登録の際にアプリケーションにより設定されるユーザＩＤ、ユーザ自身が入力するユーザのメールアドレス、ニックネーム、及び、生年月日などが挙げられる。
【０１３５】
また、画像データベース３４２には、アプリケーションが提供するサービスにより取得した画像データが格納される。アプリケーション制御部３３１がアプリケーションを実行することにより、画像データベース３４２に格納されている画像データの表す画像を表示部３５０に表示することができる。
【０１３６】
〔サーバ〕
次に、サーバ４００の構成について、図１４を参照して説明する。図１４は、本実施形態に係るサーバ４００の要部構成を示すブロック図である。図１４に示すように、サーバ４００は、通信部４１０、制御部４２０、及び、記憶部４３０を備えている。
【０１３７】
（通信部、制御部）
通信部４１０は、インターネットなどのネットワークを介して通信を行うインタフェースであり、写真シール作成装置１、及び、携帯端末３００との間で通信を行う。
【０１３８】
制御部４２０は、例えばＣＰＵなどによって構成され、サーバ４００における処理を統合的に制御する。また、制御部４２０は、写真シール作成装置１及び携帯端末３００から取得したデータを記憶部４３０に格納すると共に、写真シール作成装置１及び携帯端末３００に送信すべきデータを記憶部４３０から読み出し、通信部４１０を介して送信する。
【０１３９】
（記憶部）
記憶部４３０は、図１４に示すように、会員データベース４３１、及び、履歴データベース４３２を有している。
【０１４０】
会員データベース４３１には、写真シール作成装置１を利用するユーザを特定する情報（ユーザ特定情報）が、ユーザ別に格納されている。ユーザ特定情報としては、例えば、図１４に示すように、ユーザの会員ＩＤ、メールアドレス、ニックネーム、生年月日、住所、会員属性、及び、入会日などを挙げることができる。また、会員属性としては、例えば、有料会員及び無料会員などを挙げることができる。
【０１４１】
履歴データベース４３２には、会員データベース４３１に格納されているユーザ毎に、写真シール作成装置１を含む１以上の写真シール作成装置における１ゲーム毎の利用履歴が格納されている。利用履歴としては、例えば、図１４に示すように、撮影日、写真シール作成装置１において作成された各画像の画像データ、各画像データを特定する画像ＩＤ、ゲームを行った写真シール作成装置１を特定する機器ＩＤ、及び、ゲームを行った際に選択したコースなどを挙げることができる。
【０１４２】
ここで、撮影日は、ゲームを行った年月日又は日時などであればよい。また、利用履歴として撮影日に代えて画像データが履歴データベースに格納された日（保存日）が格納されていてもよい。
【０１４３】
また、会員データベース４３１に格納されている各ユーザと、履歴データベース４３２に格納されている履歴情報とは、例えば、ユーザＩＤなどによって関連づけられている。
【０１４４】
以上、図２の情報管理システムに含まれる、写真シール作成装置１００、携帯端末３００、及び、サーバ４００の各構成について説明した。
【０１４５】
次に、あるユーザが会員登録を行う際の図２の情報管理システムの動作について図１５を参照しながら説明する。
【０１４６】
図１５は、図２の情報管理システムの会員登録動作を示すシーケンス図である。なお、図１５に示す例においては、ユーザは、対象アプリケーションを、予め携帯端末３００にダウンロードしているものとする。
【０１４７】
携帯端末３００は、ユーザから対象アプリケーションを起動（実行）する入力操作を受け付けると、対象アプリケーションを起動する（Ｓ１０１）。
【０１４８】
Ｓ１０１の後、携帯端末３００は、少なくとも会員登録をするために必要な会員情報の入力を、ユーザから受け付ける（Ｓ１０２）。
【０１４９】
Ｓ１０２の後、ユーザから会員情報の入力を受け付けた携帯端末３００は、当該会員情報をサーバ４００に送信する（Ｓ１０３）。
【０１５０】
Ｓ１０３の後、携帯端末３００から会員情報を受信したサーバ４００は、当該会員情報を会員データベース４３１に保存する（Ｓ１０４）。
【０１５１】
Ｓ１０４の後、会員データベース４３１に会員情報を保存したサーバ４００は、保存した会員情報を携帯端末３００に送信する（Ｓ１０５）。
【０１５２】
Ｓ１０５の後、サーバ４００から会員情報を受信した携帯端末３００は、当該会員情報を会員情報データベース３４１に保存する（Ｓ１０６）。
【０１５３】
以上の手順により、ユーザの会員登録が完了する。上述のように、サーバ４００に保存された会員情報を携帯端末３００の記憶部に保存することにより、携帯端末３００は、サーバ４００を介することなく、写真シール作成装置１の備える無線通信ユニット１５０を介して会員情報の送信を行うことができる。
【０１５４】
なお、Ｓ１０２における「会員登録をするために必要な会員情報」とは、会員登録されたユーザを特定することが可能な情報であって、ユーザによる入力が必須な情報のことを意味している。例えば、ユーザのメールアドレス、ニックネーム、及び、生年月日は、入力が必須な情報として設定し、例えば、住所などの情報は、入力が必須ではない情報として設定してもよい。
【０１５５】
また、すでに会員登録がされているユーザが、登録されている会員情報を更新する場合においても、同様の手順により実現可能である。上記の場合には、例えば、Ｓ１０１にて、ユーザＩＤ及びパスワードの入力を受け付けることにより、対象アプリケーションを起動する構成としてもよい。また、上記の場合には、Ｓ１０２にてユーザが入力する会員情報は、ユーザが更新を所望する会員情報のみとする構成であればよい。
【０１５６】
次に、あるグループが写真シール作成装置１の設置場所に来てからそのグループが写真シール作成装置１において１ゲームを終えるまでの図２の情報管理システムの動作について図１６及び図１７を参照しながら説明する。
【０１５７】
図１６は、図２の情報管理システムの上記動作を示すシーケンス図である。また、図１７は、図１６のシーケンス図の一工程（再認証処理工程）における写真シール作成装置１の動作を詳細に示すフローチャートである。
【０１５８】
制御部２０１の検出部２５２は、写真シール作成装置１の周囲の通信機器を定期的に検出しているが、上記グループが写真シール作成装置１の設置場所に来ると、検出部２５２は、グループのユーザが所有する通信機器（携帯端末３００）を検出する（Ｓ２０１）。
【０１５９】
Ｓ２０１の後、制御部２０１は、検出部２５２が検出した各通信機器に対し、無線通信ユニット１５０Ａを介して会員情報の送信を指示するデータを送信し（Ｓ２０２）、各通信機器はこのデータを受信する（Ｓ２０３）。このデータを受信した通信機器のうち、記憶部にアプリケーションがインストールされ会員情報が保存された通信機器（例えば、図１６の携帯端末ａ）は、会員情報を写真シール作成装置１に送信する（Ｓ２０４）。ここで、図１６の携帯端末ａは、携帯端末３００の一具体例に係る端末である。
【０１６０】
Ｓ２０４の後、無線通信ユニット１５０Ａを介して会員情報を受信した写真シール作成装置１のＵＩ制御部２５３は、会員情報（厳密には会員情報に含まれるニックネーム）を含むＵＩ画面を事前接客部１４のタブレット内蔵モニタ１４１に表示する（Ｓ２０５）。例えば、Ｓ２０４においてＡさんの会員情報、Ｂさんの会員情報、および、Ｃさんの会員情報が送信された場合、ＵＩ制御部２５３は、図１８に示すＵＩ画面をタブレット内蔵モニタ１４１に表示する。
【０１６１】
なお、Ｓ２０５において、ＵＩ制御部２５３は、無線通信ユニット１５０Ａが感知した電波の強度が相対的に高い通信機器のユーザのニックネームを、上記強度が相対的に低い通信機器のユーザのニックネームよりも優先的にＵＩ画面内に表示してもよい。
【０１６２】
Ｓ２０５の後、ＵＩ制御部２５３は、上記グループのメンバ全員のニックネームが過不足なくＵＩ画面内に表示されているか否かを示す情報の入力を受け付ける（Ｓ２０６）。
【０１６３】
そして、ＵＩ制御部２５３は、入力された情報が上記グループのメンバ全員のニックネームが過不足なくＵＩ画面内に表示されている旨の情報であるか否かを判定する（Ｓ２０７）。
【０１６４】
入力された情報が上記グループのメンバ全員のニックネームが過不足なくＵＩ画面内に表示されている旨を示す情報であると判定された場合（例えば、図１８のＵＩ画面においてユーザがＹＥＳボタンを押した場合）、写真シール作成装置１は、撮影空間Ａ１に進むように促すメッセージをタブレット内蔵モニタ１４１に表示した上で、Ｓ２０９に進む。なお、図１８に示すＹＥＳボタンが押下された場合、写真シール作成装置１により、タブレット内蔵モニタ１４１に表示されているニックネームが示すメンバ全員が、写真シール作成装置１を利用する上記グループとして特定される。
【０１６５】
一方、入力された情報が上記グループのメンバ全員のニックネームが過不足なくＵＩ画面内に表示されていない旨を示す情報であると判定された場合（例えば、図１８のＵＩ画面においてユーザがＮＯボタンを押した場合）、写真シール作成装置１は、Ｓ２０８に進む。
【０１６６】
以下、Ｓ２０８について参照する図面を図１７に代えて詳細に説明する。
【０１６７】
図１７は、図１６のＳ２０８における写真シール作成装置１の動作を詳細に示すフローチャートである。
【０１６８】
図１６のＳ２０７において、入力された情報が上記グループのメンバ全員のニックネームが過不足なくＵＩ画面内に表示されていない旨を示す情報であると判定された場合、写真シール作成装置１は、写真シール作成装置１を利用して一緒に遊戯を行うグループを構成するユーザを、再度特定するための再認証処理を開始する。写真シール作成装置１が再認証処理を開始すると、ＵＩ制御部２５３は、図１９の（ａ）のＵＩ画面をタブレット内蔵モニタ１４１に表示する（Ｓ３０１）。
【０１６９】
Ｓ３０１の後、写真シール作成装置１は、ユーザからの操作を更に受け付け、受け付けた操作が、ＵＩ画面内に表示されているメンバにさらにメンバを追加する操作であるか否かを判定する（Ｓ３０２）。
【０１７０】
Ｓ３０２において、受け付けた操作がＵＩ画面内に表示されているメンバに、さらにメンバを追加する操作であると判定された場合（例えば、図１９の（ａ）のＵＩ画面において、ユーザが「追加：周辺検索」、または「追加：アドレス入力」を押した場合）、写真シール作成装置１は、Ｓ３０３に進む。
【０１７１】
一方、受け付けた操作がＵＩ画面内に表示されているメンバに、さらにメンバを追加する操作でないと判定された場合（例えば、図１９の（ａ）のＵＩ画面において、ユーザが「削除」を押した場合）、写真シール作成装置１は、Ｓ３１２に進む。
【０１７２】
Ｓ３０３において、写真シール作成装置１は、ユーザからの情報の入力を受け付け、入力された情報が、メンバを自動で追加する指示であるか否かを判定する（Ｓ３０３）。
【０１７３】
Ｓ３０３において、Ｓ３０１で受け付けた操作がメンバを自動で追加する操作であると判定された場合（例えば、図１９の（ａ）のＵＩ画面において、ユーザが「追加：周辺検索」を押した場合）、写真シール作成装置１は、Ｓ３０４に進む。
【０１７４】
一方、Ｓ３０１で受け付けた操作がメンバを自動で追加する操作でないと判定された場合（例えば、図１９の（ａ）のＵＩ画面において、ユーザが「追加：アドレス入力」を押した場合）、写真シール作成装置１は、Ｓ３１０に進む。
【０１７５】
Ｓ３０４において、ＵＩ制御部２５３は、図１９の（ｃ）のＵＩ画面を表示する（Ｓ３０４）。
【０１７６】
Ｓ３０４の後、閾値制御部２５４は、検出部２５２が携帯端末の数を検出する際の、所定の閾値を、現在の値よりも低く設定する（Ｓ３０５）。
【０１７７】
Ｓ３０５の後、写真シール作成装置１は、会員情報の再取得を行う（Ｓ３０６）。Ｓ３０６における会員情報の再取得処理は、図１６のＳ２０１〜Ｓ２０４までの処理と同様に行えばよい。
【０１７８】
Ｓ３０６の後、無線通信ユニット１５０Ａを介して会員情報を受信した写真シール作成装置１のＵＩ制御部２５３は、会員情報を含むＵＩ画面（例えば、図１９の（ｄ）のＵＩ画面）を事前接客部１４のタブレット内蔵モニタ１４１に表示する（Ｓ３０７）。
【０１７９】
Ｓ３０７の後、ＵＩ制御部２５３は、上記グループのメンバ全員のニックネームが過不足なくＵＩ画面内に表示されているか否かを回答する操作を受け付ける（Ｓ３０８）。
【０１８０】
そして、ＵＩ制御部２５３は、Ｓ３０８で受け付けた操作が上記グループのメンバ全員のニックネームが過不足なくＵＩ画面内に表示されている旨を回答する操作であるか否かを判定する（Ｓ３０９）。
【０１８１】
Ｓ３０８で受け付けた操作が上記グループのメンバ全員のニックネームが過不足なくＵＩ画面内に表示されている旨を回答する操作であると判定された場合、写真シール作成装置１は、撮影空間Ａ１に進むように促すメッセージをタブレット内蔵モニタ１４１に表示した上で、再認証処理を終了する、すなわち、図１６のＳ２０９に進む。
【０１８２】
一方、Ｓ３０８で受け付けた操作が上記グループのメンバ全員のニックネームが過不足なくＵＩ画面内に表示されていない旨を回答する操作であると判定された場合、写真シール作成装置１は、Ｓ３０２に処理を戻す。
【０１８３】
また、Ｓ３０３において、Ｓ３０１で受け付けた操作がメンバを自動で追加する操作でないと判定された場合、ＵＩ制御部２５３は、追加するメンバのメールアドレスの入力を促すＵＩ画面をタブレット内蔵モニタ１４１に表示し（Ｓ３１０）、ユーザからメールアドレスの入力を受け付ける（Ｓ３１１）。
【０１８４】
Ｓ３１１において、ユーザからメールアドレスの入力を受け付けると、ＵＩ制御部２５３は、図１６のＳ２０５にて表示した会員情報に加え、Ｓ３１１にて取得したメールアドレスをタブレット内蔵モニタ１４１に表示する（Ｓ３０７）。なお、個人情報保護の観点から、Ｓ３１１にて取得したメールアドレスの一部を伏せて表示することが好ましい。
【０１８５】
また、Ｓ３０２において、Ｓ３０１で受け付けた操作がＵＩ画面内に表示されているメンバにさらにメンバを追加する操作でないと判定された場合（例えば、図１９の（ａ）のＵＩ画面において、ユーザが「削除」を押した場合）、ＵＩ制御部２５３は、削除するメンバの選択操作を促すＵＩ画面（例えば、図１９の（ｂ）のＵＩ画面）をタブレット内蔵モニタ１４１に表示し（Ｓ３１２）、ユーザからの入力操作を受け付ける（Ｓ３１３）。なお、Ｓ３１２において、削除するメンバの選択操作を促すＵＩ画面を表示する構成としているが、表示された会員情報のうち、グループを構成するメンバの選択操作を促すＵＩ画面を表示する構成としてもよい。
【０１８６】
Ｓ３１３において、ユーザからメンバの選択操作の入力を受け付けると、ＵＩ制御部２５３は、Ｓ３１３において選択されたメンバを示す会員情報をタブレット内蔵モニタ１４１に表示する（Ｓ３０７）。
【０１８７】
以上の手順により、写真シール作成装置１は、写真シール作成装置１を利用する上記グループを構成するユーザを正確に特定することができる。
【０１８８】
Ｓ２０９において、制御部２０１は、硬貨が投入されたか否かを判定する。具体的には、硬貨処理部２２１から、硬貨が投入されたことを示す起動信号を受信したか否かを判定する。制御部２０１は、硬貨が投入されたと判定するまでＳ２０９の判定処理を繰り返す。
【０１８９】
なお、制御部２０１は、無線通信ユニット１５０Ａが携帯端末３００を検出してから一定時間が経過するまでに硬貨が投入されたと判定しなかった場合、一定時間が経過しても硬貨が投入されていない旨を示す情報をＵＩ制御部２５３に供給してもよい。
【０１９０】
そして、当該情報を受け取ったＵＩ制御部２５３は、硬貨の投入を促すメッセージ（例えば、「コインを投入してね」というメッセージ）をタッチパネルモニタ９３に表示してもよい。また、制御部２０１は、無線通信ユニット１５０Ｂを介して、グループの各メンバの携帯端末３００に対し、硬貨の投入を促すメッセージを表示するように指示してもよい。なお、これらの処理により、グループのメンバが写真シール作成装置１の設置場所に居座ることをある程度抑制することができ、結果として、写真シール作成装置１の回転率が上がるという効果が得られる。
【０１９１】
制御部２０１がＳ２０９において硬貨が投入されたと判定すると、写真シール作成装置１は、上記グループを被写体とする撮影処理の工程（Ｓ２１０）に進む。
【０１９２】
Ｓ２１０において、メンバは、利用する撮影コースを選択する操作を行った上で、撮影を指示する操作を行う。その結果、写真シール作成装置１は、上記グループを被写体とする撮影画像を生成することになる。
【０１９３】
なお、Ｓ２１０において、メンバが撮影コースを選択する操作を行った後に、どの撮影コースが選択されたかを示す情報をグループの各メンバの携帯端末３００に送信してもよい。そして、当該情報を受信した各携帯端末３００のアプリケーション制御部３３１は、当該情報を参照して選択された撮影コース以外の任意の撮影コースの紹介用動画データを記憶部３４０から読み出し、読み出した動画データを再生することで紹介動画（案内情報）を表示部３５０に表示してもよい。
【０１９４】
また、Ｓ２１０の開始後からメンバにより撮影が指示されるまでの任意の時点（例えば、硬貨が投入された直後）において、制御部２０１は、無線通信ユニット１５０Ｂを介して、撮影方法または撮影ポーズに関するガイド情報を各メンバの携帯端末３００に送信してもよい。そして、各メンバの携帯端末３００のアプリケーション制御部３３１は、受信したガイド情報を表示部３５０に表示してもよい。
【０１９５】
Ｓ２１０の完了後、Ｓ２１１において、制御部２０１は、Ｓ２１０で得られた撮像画像の画像データが開かれた状態の編集画面をタブレット内蔵モニタ１３１に表示し、メンバによる編集操作の内容に応じた編集処理を撮像画像に施す。その結果、写真シール作成装置１は、編集処理を施すことにより得られた編集済み画像をＲＡＭ２０７に保存することになる。なお、編集画面には、名前スタンプを撮像画像に貼り付けるために必要なニックネーム入力欄が１つ又は複数設けられていてもよいし、編集済み画像の送信先となるメールアドレスの入力欄が１つ又は複数設けられていてもよい。
【０１９６】
また、Ｓ２１１の工程は、上記グループのメンバが編集部のタブレット内蔵モニタ１３１にタッチペンを接触させたことをトリガとして開始してもよい。
【０１９７】
また、Ｓ２１１の工程では、Ｓ２０５までに取得済の各会員情報について、会員情報に含まれているメールアドレスをメールアドレスの入力欄内に表示してもよいし、会員情報に含まれているニックネームをニックネーム入力欄内に表示してもよい。これにより、写真シール作成装置１は、上記グループのメンバにタッチペンを用いたニックネーム及び／又はメールアドレスの入力の手間をかけさせることなく、名前スタンプの編集画像への貼り付け、及び／又は、編集済み画像のメンバへの配信を行うことができる。なお、制御部２０１は、無線通信ユニット１５０Ｃが感知した電波の強度が相対的に高い携帯端末３００を使用するメンバのニックネームを、上記強度が相対的に低い通信機器を使用するメンバのニックネームよりも優先的に、メールアドレスの入力欄内及び／又はニックネーム入力欄内に表示してもよい。
【０１９８】
また、Ｓ２１１の工程では、Ｓ２１０で得られた撮像画像だけでなく、各メンバの携帯端末３００に保存されている撮像画像を編集できるようになっていてもよい。すなわち、Ｓ２１１の開始後、制御部２０１は、メンバの携帯端末３００から１つ以上の撮像画像を取得し、取得した１つ以上の撮像画像の各々のサムネイルを編集画面内に表示してもよい。そして、ユーザによりサムネイルが選択された場合、制御部２０１は、選択されたサムネイルに対応する撮像画像を開いて編集画面内に表示してもよい。
【０１９９】
更に、Ｓ２１１の工程では、制御部２０１は、取得した各メンバの撮像画像を加工してスタンプ画像を生成してもよい。そして、制御部２０１は、ユーザによりスタンプ画像を貼り付ける操作が行われた場合、Ｓ２１０で得られた撮像画像上にスタンプ画像を貼り付けてもよい。
【０２００】
Ｓ２１１の工程が完了すると、写真シール作成装置１は、Ｓ２１２に進む。
【０２０１】
Ｓ２１２において、制御部２０１は、編集済み画像と、会員（有料会員又は無料会員）である各メンバの会員情報、及び／又は、会員でない各メンバのメールアドレス（Ｓ３１１で取得されたメールアドレス）と、を含むデータを、通信部２０３を介してサーバ４００に送信する。
【０２０２】
Ｓ２１３において、サーバ４００は、編集済み画像と、会員（有料会員又は無料会員）である各メンバの会員情報、及び／又は、会員でない各メンバのメールアドレスと、を含むデータを、写真シール作成装置１から受信し、受信したデータを、記憶部４３０に保存する。
【０２０３】
サーバ４００は、Ｓ２１３において受信したデータから、各メンバが所有する携帯端末に対象アプリケーションがダウンロードされているか否を判定する（Ｓ２１４）。
【０２０４】
サーバ４００は、Ｓ２１４において対象アプリケーションがダウンロードされていると判定されたメンバの携帯端末ａについて、Ｓ２１５の処理を行う。すなわち、サーバ４００は、当該メンバが所有する携帯端末ａの対象アプリケーションに送信するデータを記憶部４３０から呼び出す（Ｓ２１５）。ここで、携帯端末ａの対象アプリケーションに送信するデータには、例えば、サーバ４００に保存された編集済み画像を取得するためのＵＲＬを示すデータが含まれる。
【０２０５】
また、サーバ４００は、携帯端末ａにダウンロードされている対象アプリケーションに会員情報が登録されているかにより、携帯端末ａのユーザが会員登録されているか否かを判定する。そして、会員登録されている場合には、サーバ４００は、更に、無料会員であるか有料会員であるかを判定する。携帯端末ａを所有するメンのうち会員であると判定されたメンバが、無料会員である場合には、携帯端末ａの対象アプリケーションに送信するデータに有料会員の登録を行うためのＵＲＬを含めることにより、当該メンバに対して有料会員の登録を促すように構成してもよい。
【０２０６】
なお、図１６に示す例においては、会員であると判定されたメンバが所有する携帯端末ａのアプリケーションにデータを送信する構成としているが、当該メンバの会員情報を参照して、当該メンバが登録しているメールアドレスに対して、上記のデータが含まれたメールを送信する構成としてもよい。
【０２０７】
サーバ４００は、携帯端末ａの対象アプリケーションにＳ２１５にて呼び出したデータを送信する（Ｓ２１６）。
【０２０８】
携帯端末ａは、サーバ４００から送信されたデータを受信する（Ｓ２１７）。
【０２０９】
Ｓ２１７にてデータを受信した携帯端末ａを所有するユーザが、サーバ４００に保存された編集済み画像を取得する旨の操作指示を入力すると、携帯端末ａは、サーバ４００に、当該画像の取得指示を送信する（Ｓ２１８）。
【０２１０】
携帯端末ａから画像の取得指示を受信したサーバ４００は、サーバ４００に保存された編集済み画像を呼び出し（Ｓ２１９）、携帯端末ａに当該画像を送信する（Ｓ２２０）。
【０２１１】
携帯端末ａは、サーバ４００から送信された画像を受信し、表示部に受信した画像を表示する。
【０２１２】
サーバ４００は、Ｓ２１４において会員ではないと判定されたメンバについて、Ｓ２２２の処理を行う。すなわち、サーバ４００は、当該メンバのメールアドレス（携帯端末ｂのメールアドレス）に、サーバ４００に保存された編集済み画像を取得するためのメールを送信する（Ｓ２２２）。ここで、携帯端末ｂに送信するメールには、例えば、サーバ４００に保存された編集済み画像を取得するためのＵＲＬが含まれる。また、携帯端末ｂに送信するメールに対象アプリケーションをダウンロードするためのＵＲＬを含めることにより、携帯端末ｂを所有するユーザに会員登録を促すように構成してもよい。
【０２１３】
携帯端末ｂは、サーバ４００から送信されたメールを受信する（Ｓ２２３）。
【０２１４】
Ｓ２２３にてメールを受信した携帯端末ｂを所有するユーザが、サーバ４００に保存された編集済み画像を取得する旨の操作指示（すなわち、メールに含まれるＵＲＬにアクセスする旨の操作指示）を入力すると、携帯端末ｂは、サーバ４００に、当該画像の取得指示を送信する（Ｓ２２４）。
【０２１５】
携帯端末ｂから画像の取得指示を受信したサーバ４００は、サーバ４００に保存された編集済み画像を呼び出し（Ｓ２１９）、携帯端末ｂに当該画像を送信する（Ｓ２２０）。
【０２１６】
携帯端末ｂは、サーバ４００から送信された画像を受信し、表示部に受信した画像を表示する（Ｓ２２５）。
【０２１７】
以上の手順により、あるグループが写真シール作成装置１の設置場所に来てからそのグループが写真シール作成装置１において１ゲームを終えるまでの図２の情報管理システムの動作が完了する。
【０２１８】
以上のように、図２の情報管理システムは、特定部２５１により上記グループを構成するユーザとして特定されたユーザが所有する携帯端末に対して、写真シール作成装置１により生成された画像を示す画像データを送信することができる。
【０２１９】
なお、図１６および１７に示す例においては、事前接客部１４の備える無線通信ユニット１５０Ａを介して、事前接客空間Ａ４に存在するユーザであって、上記グループを構成するユーザを特定する構成である。事前接客空間Ａ４は、写真シール作成装置１を利用するユーザが利用前に待機する待機スペースである。すなわち、図１６および１７に示す例においては、無線通信ユニット１５０Ａによって検出された待機スペースに存在する携帯端末の数を、上記グループを構成するユーザの人数として特定する構成である。したがって、ユーザが写真シール作成装置１を利用する前に、上記グループを構成するユーザを特定することができるので、一グループ当たりの利用時間の短縮につながり、写真シール作成装置１の回転率を上げることができる。
【０２２０】
なお、事前接客空間Ａ４に設けられる無線通信ユニット１５０Ａは、１つであってもよいし、複数であってもよい。複数の無線通信ユニット１５０Ａが設置されている場合には、サーバ４００の制御部４２０は、事前接客空間Ａ４に存在する携帯端末の位置をより正確に特定することができるため、事前接客空間Ａ４に存在する携帯端末の数をより正確に特定することができる。
【０２２１】
また、事前接客部１４の備える無線通信ユニット１５０Ａを介して、上記グループを構成するユーザを特定する構成に代えて、撮影部２１の備える無線通信ユニット１５０Ｂを介して、上記グループを構成するユーザを特定する構成としてもよい。上述のように、撮影空間Ａ１は、区切られた撮影スペースである。
【０２２２】
また、無線通信ユニット１５０Ｂによって撮影空間Ａ１に存在する携帯端末の数を、上記グループを構成するユーザの人数として特定する構成とすることにより、上記グループを構成するユーザをより正確に特定することができる。また、上記の場合には、ユーザが写真シール作成装置１にコインを投入した後に、上記グループを構成するユーザを特定する構成としてもよい。
【０２２３】
なお、撮影空間Ａ１に設けられる無線通信ユニット１５０Ｂも同様に、１つであってもよいし、複数であってもよい。複数の無線通信ユニット１５０Ｂが設置されている場合には、サーバ４００の制御部４２０は、撮影空間Ａ１に存在する携帯端末の位置をより正確に特定することができるため、撮影空間Ａ１に存在する携帯端末の数をより正確に特定することができる。
【０２２４】
（変形例）
撮影部２１の構成の変形例について、図２０を参照して説明する。図２０は、本実施形態に係る撮影部２１の外観の他の一例を示す斜視図である。
【０２２５】
図２０に示す撮影部２１は、図５に示す撮影部２１と略同様の構成である。図２０に示す撮影部２１が、図５に示す撮影部２１と異なる点は、スペース４３Ｂに設置台８８が備えられている点、及び、無線通信ユニット１５０Ｂが、設置台８８に設けられている点である。
【０２２６】
設置台８８は、写真シール作成装置１を利用するユーザが所有する携帯端末３００を置く台である。また、設置台８８に無線通信ユニット１５０Ｂが設けられていることにより、携帯端末３００が設置台８８の何れの場所に置かれた場合でも、無線通信ユニット１５０Ｂが感知する電波の強度が所定の閾値以上になる。
【０２２７】
したがって、スペース４３Ｂに設置台８８が設けられていることにより、写真シール作成装置１を利用する上記グループを構成するユーザを正確に特定することができる。
【０２２８】
なお、図２０に示す例においては、スペース４３Ｂに設置台８８が備えられている構成としているが、これは本発明を限定するものではなく、スペース４３Ａに備えられている構成としてもよい。また、設置台８８が、撮影部２１ではなく、事前接客部１４、編集部１２に備えられている構成としてもよい。設置台８８が事前接客部１４に備えられる場合には、無線通信ユニット１５０Ａを設置台８８に設ける構成とし、設置台８８が編集部１２に備えられる場合には、無線通信ユニット１５０Ｃを設置台８８に設ける構成とすればよい。何れの場合においても、写真シール作成装置１を利用する上記グループを構成するユーザを正確に特定することができる。
【０２２９】
また、写真シール作成装置１の制御部２０１は、設置台８８に置かれた各携帯端末３００からの電波であって無線通信ユニット１５０が感知する電波の強度に応じて、携帯端末３００の各々から感知する電波強度について個別に所定の閾値を変更してもよい。これにより、写真シール作成装置１は、携帯端末３００の機種や性能などによって電波強度がばらつくことによって、設置台８８に置かれた複数の携帯端末３００が無線通信ユニット１５０により検出される携帯端末３００と検出されない携帯端末３００とに分かれてしまうことを防ぐことができる。
【０２３０】
印刷待ち時間にアドレス（例えば、撮影画像や編集済み画像等の送信先となるアドレス）の入力等をするためのブースである事後接客ブースを写真シール作成装置に設ける場合、事後接客ブースに無線通信ユニット１５０を設置してもよい。
【０２３１】
また、写真シール作成装置１には複数の無線通信ユニット１５０を設置されているが、写真シール作成装置には無線通信ユニット１５０を１つだけ設置してもよい。例えば、写真シール作成装置の事前接客ブースに無線通信ユニット１５０Ａを１つだけ設置してもよいし、写真シール作成装置の撮影ブースに無線通信ユニット１５０Ｂを１つだけ設置してもよい。前述のように、無線通信ユニット１５０の最大通信距離は約５０ｍであるため、無線通信ユニット１５０が１つだけ設置されている写真シール作成装置であっても、無線通信ユニット１５０の通信可能な範囲に写真シール作成装置全体が含まれるからである。
【０２３２】
〔ソフトウェアによる実現例〕
写真シール作成装置１の制御ブロック（特に、制御部２０１）は、集積回路（ＩＣチップ）等に形成された論理回路（ハードウェア）によって実現してもよいし、ＣＰＵ（Central Processing Unit）を用いてソフトウェアによって実現してもよい。
【０２３３】
後者の場合、写真シール作成装置１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２３４】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３５】
本発明は、写真シール作成装置に好適に利用することができる。
【符号の説明】
【０２３６】
１      写真シール作成装置（画像生成装置）
１１    撮影ユニット
１２    編集部
１４    事前接客部
２１    撮影部
２２    背景部
８８    設置台
９３    タッチパネルモニタ（表示部）
１３１  タブレット内蔵モニタ（表示部）
１４１  タブレット内蔵モニタ（表示部）
１５０  無線通信ユニット（近距離無線通信ユニット、画像送信手段）
２０１  制御部（制御手段）
２５１  特定部（特定手段）
２５２  検出部
２５３  ＵＩ制御部（入力受付手段）
２５４  閾値制御部（制御手段）
３００  携帯端末（通信機器）
４００  サーバ
Ａ１    撮影空間（撮影スペース）
Ａ４    事前接客空間（待機スペース）
【図１】
0006048397.tif 000002
【図２】
0006048397.tif 000003
【図３】
0006048397.tif 000004
【図４】
0006048397.tif 000005
【図５】
0006048397.tif 000006
【図６】
0006048397.tif 000007
【図７】
0006048397.tif 000008
【図８】
0006048397.tif 000009
【図９】
0006048397.tif 000010
【図１０】
0006048397.tif 000011
【図１１】
0006048397.tif 000012
【図１２】
0006048397.tif 000013
【図１３】
0006048397.tif 000014
【図１４】
0006048397.tif 000015
【図１５】
0006048397.tif 000016
【図１６】
0006048397.tif 000017
【図１７】
0006048397.tif 000018
【図１８】
0006048397.tif 000019
【図１９】
0006048397.tif 000020
【図２０】
0006048397.tif 000021